(57)【要約】【課題】十分な放熱性能が得られるＬＥＤ照明用放熱装置を提供する。【解決手段】ＬＥＤ照明用放熱装置３は、ＬＥＤから発せられる熱を受ける受熱部12を有するヒートパイプ11と、ヒートパイプ11に一体に設けられた放熱フィン13と、上下両端が開口しかつＬＥＤに電力を供給する給電用配線を保護する配線保護筒14とを備えている。ヒートパイプ11における作動液が封入されたコンテナ15が、配線保護筒14の周囲を取り囲むように設けられた上下方向にのびる作動液流通部21を有している。放熱フィン13を、ヒートパイプ11のコンテナ15の作動液流通部21に、配線保護筒14とは反対側に突出するように一体に設ける。【選択図】図１
2013182875.tif 000002
【特許請求の範囲】
【請求項１】
ＬＥＤから発せられる熱を受ける受熱部を有するヒートパイプと、ヒートパイプに一体に設けられた放熱フィンと、上下両端が開口しかつＬＥＤに電力を供給する給電用配線を保護する配線保護筒とを備えており、
ヒートパイプにおける作動液が封入されたコンテナが、配線保護筒の周囲に設けられた上下方向にのびる作動液流通部を有しており、放熱フィンが、ヒートパイプのコンテナの作動液流通部に、配線保護筒とは反対側に突出するように一体に設けられているＬＥＤ照明用放熱装置。
【請求項２】
ヒートパイプのコンテナの作動液流通部が、配線保護筒の外側に間隔をおいて設けられた囲繞壁と、上下方向にのびるとともに配線保護筒と囲繞壁とを連結し、かつ配線保護筒と囲繞壁との間の空間を配線保護筒を取り囲むように設けられた複数の区画に仕切る仕切壁とを備え、放熱フィンが作動液流通部の囲繞壁に設けられており、配線保護筒、作動液流通部の囲繞壁および仕切壁、ならびに放熱フィンが１つの押出形材に形成されている請求項１記載のＬＥＤ照明用放熱装置。
【請求項３】
前記押出形材の仕切壁の上下両端部が取り除かれて全区画を通じさせる上下両空間が形成され、上側空間の上端開口および下側空間の下端開口が、前記押出形材に接合された蓋により塞がれており、これにより全区画の上下両端どうしを通じさせる上下両ヘッダ部が形成されている請求項２記載のＬＥＤ照明用放熱装置。
【請求項４】
配線保護筒および囲繞壁が円筒状であるとともに、放熱フィンが等角度間隔で放射状に設けられ、連続して並んだ少なくとも３つの放熱フィンの先端が１つの平面上に位置しており、先端が前記平面上に位置していない放熱フィンが、前記平面とは非干渉状態となっている請求項２または３記載のＬＥＤ照明用放熱装置。
【請求項５】
配線保護筒および囲繞壁が円筒状であるとともに、放熱フィンが放射状に等角度間隔で設けられ、放熱フィンの先端側の部分が複数の分岐部に分かれている請求項２または３記載のＬＥＤ照明用放熱装置。
【請求項６】
連続して並んだ少なくとも３つの分岐部の先端が１つの平面上に位置しており、先端が前記平面上に位置していない分岐部を有する放熱フィンが、前記平面とは非干渉状態となっている請求項５記載のＬＥＤ照明用放熱装置。
【請求項７】
ヒートパイプのコンテナの作動液流通部が、配線保護筒の外側に、配線保護筒を取り囲むように間隔をおいて設けられた複数の流通管を備え、各流通管に放熱フィンが設けられており、流通管および放熱フィンが１つの押出形材に形成されている請求項１記載のＬＥＤ照明用放熱装置。
【請求項８】
配線保護筒の上下両端部が上下両保持部材に接合され、前記押出形材が、全流通管が１つの円周上に位置するとともに、放熱フィンが、全流通管が位置する円周上から等角度間隔で放射状となるように並べられ、全流通管の上下両端部が、上下両保持部材に設けられかつた上下両ヘッダ部に接続されている請求項７記載のＬＥＤ照明用放熱装置。
【請求項９】
放熱フィンに、複数の放熱部が、放熱フィンの張り出し方向に間隔をおいて設けられている請求項７または８記載のＬＥＤ照明用放熱装置。
【発明の詳細な説明】
【技術分野】
【０００１】
この発明は、ＬＥＤ照明装置に用いられるＬＥＤ灯具のＬＥＤから発生する熱を放熱する放熱装置に関する。
【０００２】
この明細書および特許請求の範囲において、図１、図５および図８の上下を上下というものとする。
【背景技術】
【０００３】
ＬＥＤを有する発光源を備えたＬＥＤ灯具は、従来の白熱電球などの灯具と比べて、発光効率が高く、低消費電力で明るいという優れた特徴があるが、現在の技術では、消費電力の約８０％が熱になり、また、ＬＥＤを取り巻く樹脂材料が熱によって劣化し、発光効率が低下するとともに、寿命が短くなる。
【０００４】
そこで、低消費電力型ＬＥＤ灯具の場合、ＬＥＤ灯具の周囲に放熱フィンが設けられることにより、ＬＥＤから発せられる熱が放熱されている。
【０００５】
ところで、消費電力が１０Ｗ以上の高消費電力型ＬＥＤ灯具を用いたＬＥＤ照明では上述した構成では、放熱が不十分である。
【０００６】
そこで、高消費電力型ＬＥＤ灯具を用いたＬＥＤ照明用放熱装置として、ヒートパイプと、ヒートパイプに取り付けられた放熱部材とを備えており、放熱部材が、ヒートパイプ挿入筒およびヒートパイプ挿入筒の外周面に放射状に一体に設けられた放熱フィンからなり、ヒートパイプが、放熱部材ののヒートパイプ挿入筒内に挿入固定されている放熱装置が提案されている（特許文献１参照）。
【０００７】
しかしながら、特許文献１記載の放熱装置においては、放熱フィンとヒートパイプとが別個に形成されたものであるから、ＬＥＤ照明が高消費電力の場合、ヒートパイプと放熱フィンとの間の伝熱性が不足し、十分な放熱性能が得られない場合がある。
【先行技術文献】
【特許文献】
【０００８】
【特許文献１】特開２００８−２４３７８０号公報
【発明の概要】
【発明が解決しようとする課題】
【０００９】
この発明の目的は、上記問題を解決し、十分な放熱性能が得られるＬＥＤ照明用放熱装置を提供することにある。
【課題を解決するための手段】
【００１０】
本発明は、上記目的を達成するために以下の態様からなる。
【００１１】
1)ＬＥＤから発せられる熱を受ける受熱部を有するヒートパイプと、ヒートパイプに一体に設けられた放熱フィンと、上下両端が開口しかつＬＥＤに電力を供給する給電用配線を保護する配線保護筒とを備えており、
ヒートパイプにおける作動液が封入されたコンテナが、配線保護筒の周囲に設けられた上下方向にのびる作動液流通部を有しており、放熱フィンが、ヒートパイプのコンテナの作動液流通部に、配線保護筒とは反対側に突出するように一体に設けられているＬＥＤ照明用放熱装置。
【００１２】
2)ヒートパイプのコンテナの作動液流通部が、配線保護筒の外側に間隔をおいて設けられた囲繞壁と、上下方向にのびるとともに配線保護筒と囲繞壁とを連結し、かつ配線保護筒と囲繞壁との間の空間を配線保護筒を取り囲むように設けられた複数の区画に仕切る仕切壁とを備え、放熱フィンが作動液流通部の囲繞壁に設けられており、配線保護筒、作動液流通部の囲繞壁および仕切壁、ならびに放熱フィンが１つの押出形材に形成されている上記1)記載のＬＥＤ照明用放熱装置。
【００１３】
3)前記押出形材の仕切壁の上下両端部が取り除かれて全区画を通じさせる上下両空間が形成され、上側空間の上端開口および下側空間の下端開口が、前記押出形材に接合された蓋により塞がれており、これにより全区画の上下両端どうしを通じさせる上下両ヘッダ部が形成されている上記2)記載のＬＥＤ照明用放熱装置。
【００１４】
4)配線保護筒および囲繞壁が円筒状であるとともに、放熱フィンが等角度間隔で放射状に設けられ、連続して並んだ少なくとも３つの放熱フィンの先端が１つの平面上に位置しており、先端が前記平面上に位置していない放熱フィンが、前記平面とは非干渉状態となっている上記2)または3)記載のＬＥＤ照明用放熱装置。
【００１５】
5)配線保護筒および囲繞壁が円筒状であるとともに、放熱フィンが放射状に等角度間隔で設けられ、放熱フィンの先端側の部分が複数の分岐部に分かれている上記2)または3)記載のＬＥＤ照明用放熱装置。
【００１６】
6)連続して並んだ少なくとも３つの分岐部の先端が１つの平面上に位置しており、先端が前記平面上に位置していない分岐部を有する放熱フィンが、前記平面とは非干渉状態となっている上記5)記載のＬＥＤ照明用放熱装置。
【００１７】
7)ヒートパイプのコンテナの作動液流通部が、配線保護筒の外側に、配線保護筒を取り囲むように間隔をおいて設けられた複数の流通管を備え、各流通管に放熱フィンが設けられており、流通管および放熱フィンが１つの押出形材に形成されている上記1)記載のＬＥＤ照明用放熱装置。
【００１８】
8)配線保護筒の上下両端部が上下両保持部材に接合され、前記押出形材が、全流通管が１つの円周上に位置するとともに、放熱フィンが、全流通管が位置する円周上から等角度間隔で放射状となるように並べられ、全流通管の上下両端部が、上下両保持部材に設けられかつた上下両ヘッダ部に接続されている上記7)記載のＬＥＤ照明用放熱装置。
【００１９】
9)放熱フィンに、複数の放熱部が、放熱フィンの張り出し方向に間隔をおいて設けられている上記7)または8)記載のＬＥＤ照明用放熱装置。
【発明の効果】
【００２０】
上記1)〜9)のＬＥＤ照明用放熱装置によれば、ＬＥＤから発せられる熱を受ける受熱部を有するヒートパイプと、ヒートパイプに一体に設けられた放熱フィンと、上下両端が開口しかつＬＥＤに電力を供給する給電用配線を保護する配線保護筒とを備えており、ヒートパイプにおける作動液が封入されたコンテナが、配線保護筒の周囲に設けられた上下方向にのびる作動液流通部を有しており、放熱フィンが、ヒートパイプのコンテナの作動液流通部に、配線保護筒とは反対側に突出するように一体に設けられているので、ヒートパイプと放熱フィンとの間の伝熱性が向上し、高消費電力型ＬＥＤ灯具を用いたＬＥＤ照明の場合であっても、十分な放熱性能が得られることになり、ＬＥＤ灯具の長寿命化を図ることができる。また、ヒートパイプのコンテナの作動液流通部が配線保護筒の周囲に設けられ、放熱フィンが、ヒートパイプのコンテナの作動液流通部に、配線保護筒とは反対側に突出するように一体に設けられているので、ＬＥＤから発せられる熱が配線保護筒内に配置された給電用配線に伝わりにくくなり、給電用配線の長寿命化も図ることが可能になる。
【００２１】
上記2)のＬＥＤ照明用放熱装置によれば、配線保護筒、作動液流通部および放熱フィンを比較的簡単につくることができる。
【００２２】
5)のＬＥＤ照明用放熱装置によれば、放熱フィンの基端部間の間隔が狭く、先端に向かって間隔が広がる真っ直ぐな放熱フィンの欠点を改善でき、隣り合う放熱フィン間の間隔を基端部から先端部から均一化することができる。
【００２３】
上記7)のＬＥＤ照明用放熱装置によれば、流通管および放熱フィンからなる押出形材を比較的簡単に押出成形することができる。
【図面の簡単な説明】
【００２４】
【図１】この発明の実施形態１のＬＥＤ照明用放熱装置の全体構成を示す正面から見た垂直断面図である。
【図２】図１のＡ−Ａ線断面図である。
【図３】図１のＢ−Ｂ線断面図である。
【図４】図１のＬＥＤ照明用放熱装置の放熱フィンの変形例を示す図２相当の図である。
【図５】この発明の実施形態２のＬＥＤ照明用放熱装置の全体構成を示す正面から見た垂直断面図である。
【図６】図５のＣ−Ｃ線断面図である。
【図７】図５のＤ−Ｄ線断面図である。
【図８】図５のＬＥＤ照明用放熱装置の配線保護筒の変形例を示す図５の一部分に相当する図である
【図９】図８のＥ−Ｅ線断面図である。
【発明を実施するための形態】
【００２５】
以下、この発明の実施形態を、図面を参照して説明する。
【００２６】
以下の説明において、「アルミニウム」という用語には、純アルミニウムの他にアルミニウム合金を含むものとする。
【００２７】
また、全図面を通じて同一部分および同一物には同一符号を付して重複する説明を省略する。
【００２８】
実施例１
この実施例は図１〜図３に示すものである。
【００２９】
図１はこの発明の実施形態１の放熱装置を備えたＬＥＤ照明の全体構成を示し、図２および図３はその要部の構成を示す。
【００３０】
図１〜図３において、ＬＥＤ照明(1)は、ＬＥＤ灯具(2)と、ＬＥＤ灯具(2)のＬＥＤ（図示略）から発せられる熱を放熱するＬＥＤ照明用放熱装置(3)（以下、単に放熱装置(3)と称する）とからなる。
【００３１】
ＬＥＤ灯具(2)は、回路基板(5)、および回路基板(5)に実装されかつ複数のＬＥＤ（図示略）を有するＬＥＤユニット(6)からなる発光源(4)と、発光源(4)から発せられた光を反射する傘状のリフレクタ(7)とによって構成されている。ＬＥＤ灯具(2)の発光源(4)の回路基板(5)はリフレクタ(7)の内面に取り付けられている。また、回路基板(5)には、外周面におねじが形成されるとともに、リフレクタ(7)を貫通して上方にのびたホルダ(8)が設けられている。
【００３２】
放熱装置(3)は、ＬＥＤ灯具(2)のＬＥＤから発せられる熱を受ける受熱部(12)を有するヒートパイプ(11)と、ヒートパイプ(11)に一体に設けられた複数の放熱フィン(13)と、上下両端が開口しかつＬＥＤに電力を供給する給電用配線を保護する円筒状の配線保護筒(14)とを備えている。
【００３３】
ヒートパイプ(11)は、コンテナ(15)の作動液封入部(16)内に作動液（図示略）が封入されたものである。コンテナ(15)は、配線保護筒(14)の径方向外側に間隔をおいて設けられた円筒状の囲繞壁(17)と、上下方向にのびるとともに配線保護筒(14)と囲繞壁(17)とを一体に連結し、かつ配線保護筒(14)と囲繞壁(17)との間の空間を、配線保護筒(14)の周方向に並びかつ配線保護筒(14)を取り囲むように設けられた複数の区画(18)に仕切る仕切壁(19)とを有する作動液流通部(21)を備えている。放熱フィン(13)は、囲繞壁(17)の外周面に、周方向に等角度間隔となるように放射状に一体に設けられている。配線保護筒(14)、作動液流通部(21)の囲繞壁(17)および仕切壁(19)、ならびに放熱フィン(13)が１つのアルミニウム押出形材(22)に形成されている。
【００３４】
押出形材(22)の仕切壁(19)の上下両端部は、所定長さにわたって取り除かれて全区画(18)を通じさせる上下両空間(23)(24)が形成されている。上側空間(23)の上端開口および下側空間(24)の下端開口は、押出形材(22)にろう付などにより接合されたアルミニウム製の蓋(25)により塞がれており、これにより全区画(18)の上下両端どうしを通じさせる上下両ヘッダ部(27)(28)が形成されている。そして、押出形材(22)および蓋(25)によりコンテナ(15)が形成されるとともに、全区画(18)および上下両ヘッダ部(27)(28)により作動液封入部(16)が形成され、作動液封入部(16)内に作動液（図示略）が封入されてヒートパイプ(11)が構成されている。
【００３５】
ＬＥＤ灯具(2)は、回路基板(5)のホルダ(8)のおねじが、配線保護筒(14)の内周面下端部に形成されためねじにねじ嵌められることにより放熱装置(3)に着脱自在に取り付けられている。ＬＥＤ灯具(2)の回路基板(5)には、上端開口から配線保護筒(14)内に入れられかつホルダ(8)を貫通した図示しない給電配線が接続されている。そして、ヒートパイプ(11)のコンテナ(15)の配線保護筒(14)の下端部に、ＬＥＤ灯具(2)の発光源(4)のＬＥＤから発せられる熱を受ける受熱部(12)が設けられている。
【００３６】
上述したＬＥＤ照明装置(1)において、ＬＥＤ灯具(2)の発光源(4)から光が発せられている際に、発光源(4)のＬＥＤから熱が発せられる。ＬＥＤから発せられた熱は、ホルダ(8)を通ってヒートパイプ(11)の受熱部(12)に伝わり、作動液封入部(16)内の作動液に伝わって作動液が蒸発し、気相作動液が生じる。その結果、作動液封入部(16)内の下部の圧力が上昇し、気相作動液が作動液流通部(21)の区画(18)内を上方に流れる。気相作動液が作動液流通部(21)の区画(18)内を上方に流れる間に、気相作動液の有する熱が囲繞壁(17)を通って放熱フィン(13)に伝わるとともに、放熱フィン(13)から外部に放熱され、熱を奪われた気相作動液が凝縮する。再凝縮した液相作動液が、重力により下方に流れるので、ヒートパイプ(11)において、気相作動液の上方への流れと液相作動液の下方への流れが発生し、作動液の循環がおきる。したがって、ＬＥＤ灯具(2)の発光源(4)のＬＥＤが冷却される。
【００３７】
図４は、図１の放熱装置(3)の放熱フィン(13)の変形例を示す。
【００３８】
図４に示す放熱フィン(13)の先端側の部分は、水平断面において複数の分岐部(29)に分かれている。そして、連続して並んだ少なくとも３つの分岐部(29)の先端が１つの平面(P)上に位置しており、先端が前記平面(P)上に位置していない分岐部(29)を有する放熱フィン(13)が、前記平面(P)とは非干渉状態となっている。
【００３９】
ここでは、図４の上下両側および左右両側において、それぞれ連続して並んだ少なくとも３つの分岐部(29)の先端が１つの平面(P)上に位置している。したがって、前記平面(P)は４つ存在しており、これらの平面(P)により方形が形成される。
【００４０】
この放熱フィン(13)の場合、押出形材(22)を押出成形後の放熱フィン(13)の変形を抑制することができる。
【００４１】
なお、図２および図３に示す放熱フィン(13)においても、図２および図３の上下両側および左右両側において、それぞれ連続して並んだ少なくとも３つの放熱フィン(13)の先端が１つの平面上に位置しており、先端が前記平面上に位置していない分岐部を有する放熱フィン(13)が、前記平面とは非干渉状態となっていてもよい。
【００４２】
実施形態２
この実施形態は図５〜図７に示すものである。
【００４３】
図５はこの発明の実施形態２の放熱装置を備えたＬＥＤ照明の全体構成を示し、図６および図７はその要部の構成を示す。
【００４４】
図５〜図７において、ＬＥＤ照明(30)は、ＬＥＤ灯具(31)と、ＬＥＤ灯具(31)のＬＥＤから発せられる熱を放熱するＬＥＤ照明用放熱装置(32)（以下、単に放熱装置(32)と称する）とからなる。
【００４５】
ＬＥＤ灯具(31)は、回路基板(5)、および回路基板(5)に実装されかつ複数のＬＥＤ（図示略）を有するＬＥＤユニット(6)からなる複数の発光源(4)とによって構成されている。
【００４６】
放熱装置(32)は、ＬＥＤ灯具(31)のＬＥＤから発せられる熱を受ける受熱部(34)を有するヒートパイプ(33)と、ヒートパイプ(33)に一体に設けられた複数の放熱フィン(39)と、上下両端が開口しかつＬＥＤに電力を供給する給電用配線を保護する円筒状の配線保護筒(35)とを備えている。
【００４７】
ヒートパイプ(33)は、コンテナ(36)の作動液封入部(37)内に作動液が封入されたものである。コンテナ(36)は、配線保護筒(35)の外側に、配線保護筒(35)を取り囲むように配線保護筒(35)の周方向に間隔をおいて設けられた複数の流通管(38)からなる作動液流通部(40)を備え、各流通管(38)に放熱フィン(39)が一体に設けられており、流通管(38)および放熱フィン(39)が１つのアルミニウム押出形材(41)に形成されている。全ての押出形材(41)の流通管(38)は１つの円周上に位置するように並べられ、放熱フィン(39)は、配線保護筒(35)に対して周方向に等角度間隔となるように放射状に一体に設けられている。
【００４８】
配線保護筒(35)の上下両端部は、アルミニウム製の上下両保持部材(42)(43)に接合されている。また、全流通管(38)の上下両端部が、上下両保持部材(42)(43)に設けられた上下両ヘッダ部(44)(45)に接続されている。
【００４９】
上保持部材(42)は、円形のアルミニウム製上板(46)と、上板(46)の下面にろう付などにより接合された円形のアルミニウム製下板(47)とよりなり、上下両板(46)(47)の中央部に貫通穴(46a)(47a)が形成され、配線保護筒(35)の上端部が下板(47)の貫通穴(47a)の周囲の部分にろう付などにより接合されている。また、下板(47)における配線保護筒(35)が接合された部分よりも径方向外側の部分に環状の下方膨出部(48)が形成されており、下方膨出部(48)の上端開口が上板(46)によって塞がれることにより上ヘッダ部(44)が設けられ、全流通管(38)は下方膨出部(48)の膨出端壁に接続されている。
【００５０】
下保持部材(43)は、円形のアルミニウム製下板(51)と、下板(51)の上面にろう付などにより接合された円形のアルミニウム製上板(52)とよりなり、上下両板(52)(51)の中央部に貫通穴(52a)(51a)が形成され、配線保護筒(35)の下端部が上板(52)の貫通穴(52a)の周囲の部分にろう付などにより接合されている。また、上板(52)における配線保護筒(35)が接合された部分よりも径方向外側の部分に環状の上方膨出部(53)が形成されており、上方膨出部(53)の下端開口が下板(51)によって塞がれることにより下ヘッダ部(45)が設けられ、全流通管(38)は上方膨出部(53)の膨出端壁に接続されている。また、下板(51)の厚みは、発光源(4)をねじ止めなどにより取り付けることができる厚さとなっている。
【００５１】
そして、全押出形材(41)の流通管(38)および上下両保持部材(42)(43)よりコンテナ(36)が形成されるとともに、全流通管(38)および上下両ヘッダ部(44)(45)により作動液封入部(37)形成され、作動液封入部(37)内に作動液（図示略）が封入されてヒートパイプ(33)が構成されている。
【００５２】
放熱フィン(39)に、複数の放熱部(54)が、放熱フィン(39)の張り出し方向に間隔をおいて設けられている。放熱部(54)は、たとえば放熱フィン(39)の張り出し方向と直角をなしていたり、あるいは一定の角度をなすように傾斜していることがある。放熱部(54)の水平断面における幅は、放熱フィン(39)の基端側から先端側のものに向かって徐々に広くなっている。
【００５３】
ＬＥＤ灯具(31)は、回路基板(5)が、下保持部材(43)の下板(51)下面における貫通穴(51a)の周囲の部分にねじ止めされることにより放熱装置(32)に着脱自在に取り付けられている。ＬＥＤ灯具(31)の回路基板(5)には、上端開口から配線保護筒(35)内に入れられた図示しない給電配線が接続されている。そして、ヒートパイプ(33)のコンテナ(36)の下保持部材(43)に、ＬＥＤ灯具(31)の発光源(4)のＬＥＤから発せられる熱を受ける受熱部(34)が設けられている。
【００５４】
上述したＬＥＤ照明装置において、ＬＥＤ灯具(31)の発光源(4)から光が発せられていると、発光源(4)のＬＥＤから熱が発せられる。ＬＥＤから発せられた熱は、下保持部材(43)の下板(51)におけるヒートパイプ(33)の受熱部(34)に伝わり、作動液封入部(37)内の作動液に伝わって作動液が蒸発し、気相作動液が生じる。その結果、作動液封入部(37)内の下部の圧力が上昇し、気相作動液が作動液流通部(40)の流通管(38)内を上方に流れる。気相作動液が作動液流通部(40)の流通管(38)内を上方に流れる間に、気相作動液の有する熱が放熱フィン(39)に伝わるとともに、放熱フィン(39)から外部に放熱され、熱を奪われた気相作動液が凝縮する。再凝縮した液相作動液が、重力により下方に流れるので、ヒートパイプ(33)において、気相作動液の上方への流れと液相作動液の下方への流れが発生し、作動液の循環がおきる。したがって、ＬＥＤ灯具(31)の発光源(4)のＬＥＤが冷却される。
【００５５】
図８および図９は、図５のＬＥＤ照明用放熱装置(32)の配線保護筒の変形例を示す。
【００５６】
図８および図９において、配線保護筒(55)は複数、ここでは２つ設けられている。ヒートパイプ(33)のコンテナ(36)の上保持部材(42)の上下両板(46)(47)における下板(47)の下方膨出部(48)に囲まれた部分、および下保持部材(43)の上下両板(52)(51)におけるにおける上板(52)の上方膨出部(53)に囲まれた部分に、配線保護筒(55)と同数の貫通穴(52b)(51b)が形成され、配線保護筒(55)の上端部が上保持部材(42)の下板(47)の貫通穴の周囲の部分にろう付などにより接合され、同じく下端部が下保持部材(43)の上板(52)の貫通穴(52b)の周囲の部分にろう付などにより接合されている。
【００５７】
ＬＥＤ灯具(31)の回路基板(5)は、下保持部材(43)の下板(51)下面における両貫通穴(51b)間の部分にねじ止めされることにより放熱装置(32)に着脱自在に取り付けられている。ＬＥＤ灯具(31)の回路基板(5)には、上端開口から配線保護筒(55)内に入れられた図示しない給電配線が接続されている。そして、ヒートパイプ(33)のコンテナ(36)の下保持部材(43)に、ＬＥＤ灯具(31)の発光源(4)のＬＥＤから発せられる熱を受ける受熱部(34)が設けられている。
【産業上の利用可能性】
【００５８】
この発明によるＬＥＤ照明用放熱装置は、高消費電力型のＬＥＤ照明において、ＬＥＤから発せられる熱を効率良く放熱するのに用いられる。
【符号の説明】
【００５９】
(1)：ＬＥＤ照明装置
(3)(32)：放熱装置
(11)(33)：ヒートパイプ
(12)(34)：受熱部
(13)(39)：放熱フィン
(14)(35)(55)：配線保護筒
(15)(36)：コンテナ
(17)：囲繞壁
(18)：区画
(19)：仕切壁
(21)(40)：作動液流通部
(22)(41)：押出形材
(23)(24)：上下両空間
(25)：蓋
(27)(28)：上下両ヘッダ部
(29)：分岐部
(38)：流通管
(42)(43)：上下両保持部材
(44)(45)：上下両ヘッダ部
(54)：放熱部
【図１】
2013182875.tif 000003
【図２】
2013182875.tif 000004
【図３】
2013182875.tif 000005
【図４】
2013182875.tif 000006
【図５】
2013182875.tif 000007
【図６】
2013182875.tif 000008
【図７】
2013182875.tif 000009
【図８】
2013182875.tif 000010
【図９】
2013182875.tif 000011